(57)【要約】【課題】電解コンデンサやその他の電子部品を完成した後、保管、検査等の取り扱いの段階で部品本体の擦り傷、打痕傷などを生じることのない、改良されたリード線付き電子部品を提供すること。【解決手段】機能素子及びそれを収納したケーシングを含む部品本体と、該部品本体から外部接続端子として取り出された少なくとも１本の丸棒状リード線とを備えた電子部品において、前記リード線の先端部に、角の形成を抑えた面取り端面が備わっているように構成する。【選択図】　　　図３
0003099765.tif 000002
【実用新案登録請求の範囲】
【請求項１】
機能素子及びそれを収納したケーシングを含む部品本体と、該部品本体から外部接続端子として取り出された少なくとも１本の丸棒状リード線とを備えた電子部品において、
前記リード線の先端部に、角の形成を抑えた面取り端面が備わっていることを特徴とする電子部品。
【請求項２】
前記リード線が、陽極端子及び陰極端子の組み合わせからなることを特徴とする請求項１に記載の電子部品。
【請求項３】
前記リード線が、アルミニウム、銅、銀、金、鉄、鉛、スズ、パラジウム、ニッケル及びクロムからなる群から選らばれた少なくとも１種の金属又はその合金を含む導体からなることを特徴とする請求項１又は２に記載の電子部品。
【請求項４】
前記リード線の直径が、０．２〜１．２ｍｍの範囲であることを特徴とする請求項１〜３のいずれか１項に記載の電子部品。
【請求項５】
前記面取り端面が、前記リード線の先端部のＲ面取り加工によって形成されたものであることを特徴とする請求項１〜４のいずれか１項に記載の電子部品。
【請求項６】
前記Ｒ面取り加工が、前記リード線の先端部において１方向に行われたものであることを特徴とする請求項５に記載の電子部品。
【請求項７】
前記Ｒ面取り加工が、前記リード線の先端部において異なる２方向に行われたものであることを特徴とする請求項５に記載の電子部品。
【請求項８】
前記Ｒ面取り加工が、前記リード線の先端部において全方向に行われたものであることを特徴とする請求項５に記載の電子部品。
【請求項９】
前記面取り端面が、前記リード線の先端部のＣ面取り加工によって形成されたものであることを特徴とする請求項１〜４のいずれか１項に記載の電子部品。
【請求項１０】
前記Ｃ面取り加工が、前記リード線の先端部において１方向に行われたものであることを特徴とする請求項９に記載の電子部品。
【請求項１１】
前記Ｃ取り加工が、前記リード線の先端部において異なる２方向に行われたものであることを特徴とする請求項９に記載の電子部品。
【請求項１２】
前記Ｃ面取り加工が、前記リード線の先端部において全方向に行われたものであることを特徴とする請求項９に記載の電子部品。
【請求項１３】
前記面取り端面が、プレス加工によって形成されたものであることを特徴とする請求項１〜１２のいずれか１項に記載の電子部品。
【請求項１４】
前記面取り端面が、切削加工によって形成されたものであることを特徴とする請求項１〜１２のいずれか１項に記載の電子部品。
【請求項１５】
リード線付きの電解コンデンサであることを特徴とする請求項１〜１４のいずれか１項に記載の電子部品。
【請求項１６】
前記電解コンデンサが、対向して配置された陽極箔及び陰極箔と、それらの中間に介在せしめられた隔離紙とから形成されたコンデンサ素子と、電解液とを含んでなるアルミニウム電解コンデンサであることを特徴とする請求項１５に記載の電子部品。
【請求項１７】
前記電解液が、２０〜８０重量％の有機溶媒と８０〜２０重量％の水とからなる溶媒と、カルボン酸又はその塩及び無機酸又はその塩からなる群から選択される少なくとも１種の電解質とを含むことを特徴とする請求項１６に記載の電子部品。
【請求項１８】
リード線付きの水晶振動子であることを特徴とする請求項１〜１４のいずれか１項に記載の電子部品。
【考案の詳細な説明】
【０００１】
【考案の属する技術分野】
本考案は、電子部品に関し、さらに詳しく述べると、外部接続端子としてリード線を備えた電子部品に関する。
【０００２】
【従来の技術】
パーソナルコンピュータ、携帯電話等を始めとした各種の電子機器において、高性能化、高機能化等の要求を満足させるために、様々なタイプの電子部品が用いられている。また、典型的な電子部品の１つとして、例えば、外部接続端子としてリード線を備えた電子部品、例えば電解コンデンサ、水晶振動子などを挙げることができる。例えばリード線を外部接続端子として備えた電解コンデンサは、図１に示す通りである（特許文献１）。図示の電解コンデンサ５０の場合、リード線５１を導出したコンデンサ素子５２に駆動用電解液を含浸させて金属ケース５３内に収納し、さらに金属ケース５３の開口部を弾性封口体５４にて密封し、かつ金属ケース５３の外周に熱収縮性絶縁スリーブ５５を被覆した構造を採用している。リード線５１は、封口体５４を貫通して取り付けられている。このような電解コンデンサ５０において、リード線５１は、製造したままではその先端部が尖鋭になっているので、製造工程などで複数個の電解コンデンサ５０が混在した状態では、絶縁スリーブ５５を傷つけたり、絶縁スリーブ５５を破って剥れさせるといった問題をかかえている。このような問題を解決するため、特許文献１では、リード線５１の先端面５６を図２に示すように平坦部構造としている。
【０００３】
【特許文献１】
実開平２−１１０３２９号公報（実用新案登録請求の範囲、第２図、
第４図）
【０００４】
【考案が解決しようとする課題】
しかし、リード線を備えた電解コンデンサやその他の電子部品を取り扱う場合、それらの一連の製造工程が完了して例えばラジアルテーピング製品に仕上げた後ではリード線の先端部が粘着テープで被覆されてしまうので問題がなくなるが、製造工程中や製造直後の電子部品を容器にいれて保管する場合や、それぞれの電子部品を例えば電気的特性や外観状態に関して検査する場合などでは、たとえリード線の先端面を図２に示すように平坦部構造としたとしても、その角の部分が隣接する電子部品の本体部分に当たったり接触したりすることを避けることができず、したがって、擦り傷や打痕傷などの欠陥の発生を回避することができない。このような欠陥の発生は、例えば特性面及び外観面で許容し得る電子部品を完成できたとしても、最後の段階で歩留まりの低下を引き起こすので、本考案者らにとっては非常に重要な問題である。
【０００５】
本考案の目的は、したがって、電解コンデンサやその他の電子部品の製造工程で、あるいは電子部品を完成した後、保管、検査等の取り扱いの段階で、部品本体の擦り傷、打痕傷などを生じることのない、改良されたリード線付き電子部品を提供することにある。
【０００６】
また、本考案の目的は、従来の製造ラインを大幅に変更することなく、上記のような改良を容易に実現できるリード線付き電子部品を提供することにある。
【０００７】
本考案のこれらの目的やその他の目的は、以下の詳細な説明から容易に理解することができるであろう。
【０００８】
【課題を解決するための手段】
上述の目的は、本考案によれば、機能素子及びそれを収納したケーシングを含む部品本体と、該部品本体から外部接続端子として取り出された少なくとも１本の丸棒状リード線とを備えた電子部品において、前記リード線の先端部に、角の形成を抑えた面取り端面が備わっていることを特徴とする電子部品によって達成することができる。
【０００９】
【考案の実施の形態】
本考案は、上記したように、機能素子及びそれを収納したケーシングを含む部品本体と、該部品本体から外部接続端子として取り出された少なくとも１本の丸棒状リード線とを備えた電子部品にある。ここで、「電子部品」とは、電子機器などで使用する各種の電子部品を包含し、本考案の実施に有用な電子部品の好適な例は、以下に列挙するものに限定されるわけではないが、例えば電解コンデンサなどのコンデンサ、水晶振動子、抵抗、ダイオード、コネクタなどである。また、機能素子は、電子部品の構成に応じて任意に変更可能であり、例えば電子部品が電解コンデンサである場合、コンデンサ素子を意味する。適当な機能素子としては、以下に列挙するものに限定されるものではないが、コンデンサ素子の他、水晶片などを包含する。
【００１０】
本考案の電子部品は、それに外部接続端子として取り付けられたリード線の先端部の構造に特徴がある。ここで使用されるリード線は、必要ならばその他の断面形状を有していてもよいが、通常、丸棒状の、すなわち、円形断面を有するリード線である。
【００１１】
本考案の実施において、リード線の数は限定されるものではなく、電子部品の構成に応じて任意の数のリード線を電子部品に取り付けることができる。リード線の数は、通常、２本であり、陽極端子と陰極端子の組み合わせからなる。これらのリード線の長さは、同じであっても異なっていてもよい。
【００１２】
リード線は、いろいろな材料から形成することができるが、好ましくは導電性の金属（導体）からなる。リード線の構成に好適な金属は、以下に列挙するものに限定されるわけではないが、アルミニウム、銅、銀、金、鉄、鉛、スズ、パラジウム、ニッケル、クロムなどを包含する。これらの金属は、単体で使用してもよく、さもなければ合金の形で使用してもよい。
【００１３】
また、リード線は、電子部品の構成や使途などに応じていろいろなサイズで使用することができる。リード線の直径は、一般的に、約０．２〜１．２ｍｍの範囲であり、好ましくは、約０．４〜１．０ｍｍの範囲である。
【００１４】
本考案の電子部品は、そのリード線の先端部に角の形成を抑えた面取り端面が備わっていることを特徴とする。ここで、リード線の先端部は、その部分から角の部分（コーナー）が完全に除かれているのが最も好ましいが、本考案の実施において許容し得るのであるならば、先端部において部分的に角の部分が残っていてもよい。少しの角などは、欠陥の発生に関して無視し得るからである。
【００１５】
また、先端部の面取り端面はいろいろな形態を有することができる。一般的には、機械加工の分野などで広く使用されている面取り加工法を使用して、所望の形態になるように端面加工されているのが好ましい。有用な面取り加工法としては、以下に列挙するものに限定されるわけではないが、Ｒ面取り加工、Ｃ面取り加工などを挙げることができる。
【００１６】
本考案による電子部品は、１つの好ましい態様において、そのリード線の面取り端面が、リード線の先端部のＲ面取り加工によって形成されたものである。ここで、Ｒ面取り加工は、プレス加工機、切削加工機などを使用して有利に実施することができ、必要ならば、その他の加工機を使用してもよい。
【００１７】
また、Ｒ面取り加工は、リード線の先端部においていろいろな方向で行うことができる。例えば、面取り加工を１方向から行ってもよく、さもなければ、２方向もしくは３方向以上の多方向から行ってもよい。例えば２方向から行う場合、加工方向を直交させるのが有利である。さらに、リード線の先端部において全方向から面取り加工をおこなってもよい。さらにまた、面取り加工のＲ（円弧度）は、広い範囲で変更することができるというものの、通常、約０．１〜１．２の範囲であり、好ましくは、約０．２〜１．０の範囲である。
【００１８】
本考案による電子部品は、もう１つの好ましい態様において、そのリード線の面取り端面が、リード線の先端部のＣ面取り加工によって形成されたものである。ここで、Ｃ面取り加工は、プレス加工機、切削加工機などを使用して有利に実施することができ、必要ならば、その他の加工機を使用してもよい。
【００１９】
また、Ｃ面取り加工は、リード線の先端部においていろいろな方向で行うことができる。例えば、面取り加工を１方向から行ってもよく、さもなければ、２方向もしくは３方向以上の多方向から行ってもよい。例えば２方向から行う場合、加工方向を直交させるのが有利である。さらに、リード線の先端部において全方向から面取り加工をおこなってもよい。さらにまた、面取り加工の角度は、広い範囲で変更することができるというものの、通常、約１０〜８０°の範囲であり、好ましくは、約３０〜６０°の範囲である。
【００２０】
本考案による電子部品は、上記したように各種のリード線付き電子部品を包含するというものの、好ましくは、リード線付きの電解コンデンサ、さらに好ましくは、対向して配置された陽極箔及び陰極箔と、それらの中間に介在せしめられた隔離紙とから形成されたコンデンサ素子と、電解液とを含んでなるアルミニウム電解コンデンサである。
【００２１】
アルミニウム電解コンデンサは、従来一般的に使用されているものを包含するが、好ましくは、電解液が、２０〜８０重量％の有機溶媒と８０〜２０重量％の水とからなる溶媒と、カルボン酸又はその塩及び無機酸又はその塩からなる群から選択される少なくとも１種の電解質とを含むことを特徴とする、出願人らによってすでに特許出願されているアルミニウム電解コンデンサである。かかるアルミニウム電解コンデンサについての詳細は、特開２０００−１７３８７２号公報などの記載を参照されたい。
【００２２】
アルミニウム電解コンデンサ以外に有用なリード線付きの電子部品としては、例えば、リード線付きの水晶振動子、抵抗、ダイオード、電池、トランジスタなどを挙げることができる。
【００２３】
【実施例】
引き続いて、添付の図面を参照しながら、特にアルミニウム電解コンデンサに関して本考案の好ましい実施の形態を説明する。なお、本考案は、下記の形態に限定されるものではない。
【００２４】
図３は、本考案によるアルミニウム電解コンデンサの断面図である。なお、図示の例は巻回構造を備えた電解コンデンサであるが、本考案の電解コンデンサは巻回構造以外のものも包含することを理解されたい。
【００２５】
図示の電解コンデンサ１０は、チップ形アルミニウム電解コンデンサであり、電解液を含浸したコンデンサ素子１を金属製のケース４に収納し、さらにケース４の開口部を封口体３で閉塞した構造を有する。また、金属製のケースに収納されたコンデンサ素子１は、巻き取られたシート状積層体（図示せず）の形をしている。詳しく述べると、積層体は、表面全体にアルミニウム酸化膜を有するアルミニウム箔（陽極）と、アルミニウム箔（陰極）と、これらの電極の間に挟まれた第１のセパレータ（隔離紙）と、第２のセパレータ（隔離紙）とからなる。第１のセパレータと第２のセパレータは、同一であっても異なっていてもよい。製造工程の簡略化や製造コストの低下などの面から、これらの２つのセパレータは、同一の材料から形成されているのが好適である。なお、第２のセパレータは、必要に応じて、電解コンデンサの分野において常用の絶縁膜から形成されていてもよい。コンデンサ素子１には電解液が含浸せしめられている。
【００２６】
図示の電解コンデンサ１０において、封口体３は、コンデンサ素子１を収納したケース４を閉塞するためのものであり、面取り端面２ａを有するリード線２を挿入し、密封するためのリード線貫通孔をその内部に有している。また、ケース４の開口部の末端には、封口体３の封口強度を高めるため、カール１４が施されている。
【００２７】
図示の電解コンデンサは、例えば、次のようにして製造することができる。
【００２８】
最初に、高純度アルミニウム箔を原料として使用して、その表面をエッチングして表面積を増加させた後、そのアルミニウム箔の表面全体を陽極酸化して酸化皮膜を施した陽極箔と、表面をエッチングして表面積を増加させた状態の陰極箔を作製する。次いで、得られた陽極箔と陰極箔とを対向して配置し、さらにそれらの箔の中間に第１のセパレータ（隔離紙）を介在させて積層体となし、この積層体を巻き取った構造の素子、すなわち、コンデンサ素子、を作製する。
【００２９】
引き続いて、得られたコンデンサ素子に電解液を含浸する。ここで使用する電解液は、好ましくは、２０〜８０重量％の有機溶媒と８０〜２０重量％の水とからなる溶媒と、カルボン酸又はその塩及び無機酸又はその塩からなる群から選択される少なくとも１種の電解質とを含む電解液である。また、この電解液において、有機溶媒は、好ましくは、プロトン系溶媒、非プロトン系溶媒又はその混合物である。さらに、カルボン酸又はその塩は、好ましくは、蟻酸、酢酸、プロピオン酸、酪酸、ｐ−ニトロ安息香酸、サリチル酸、安息香酸、蓚酸、マロン酸、コハク酸、グルタル酸、アジピン酸、フマル酸、マレイン酸、フタル酸、アゼライン酸、クエン酸及びオキシ酪酸ならびにそのアンモニウム塩、ナトリウム塩、カリウム塩、アミン塩及びアルキルアンモニウム塩からなる群から選択される一員である。さらにまた、無機酸又はその塩は、好ましくは、リン酸、亜リン酸、次亜リン酸、ホウ酸及びスルファミン酸ならびにそのアンモニウム塩、ナトリウム塩、カリウム塩、アミン塩及びアルキルアンモニウム塩からなる群から選択される一員である。
【００３０】
さらにまた、上述のような電解液は、１種類もしくはそれ以上の添加剤を任意に含有することができる。適当な添加剤は、下記の群：
（１）キレート化合物、
（２）糖類、
（３）ヒドロキシベンジルアルコール及び（又は）Ｌ−グルタミン酸二酢酸又はその塩、
（４）ニトロ化合物、及び
（５）グルコン酸及び（又は）グルコノラクトン、から選択されるものである。
【００３１】
次いで、電解液含浸後のコンデンサ素子を上述のようにケース（一般にはアルミニウム製）に収納し、そしてケースの開口部を封口体で閉塞する。ここで使用する封口体は、その材料が、硬度が高くて適度のゴム弾性を有し、電解液不透過性であり、そして封口体としての気密性が良好である限り、いろいろな常用の材料から形成することができる。適当な封口体材料としては、例えば、天然ゴム（ＮＲ）、スチレンブタジエン（ＳＢＲ）、エチレンプロピレンターポリマー（ＥＰＴ）、イソブチレン・イソプレンゴム（ＩＩＲ）等の弾性ゴムを挙げることができる。また、気密性が高く、電解液が蒸気として透過してしまうようなことがないので、イソブチレン・イソプレンゴム（ＩＩＲ）を使用することも好ましい。特に、より優れた耐熱性を有する加硫ＩＩＲ、例えば、イオウ加硫、キノイド加硫、樹脂加硫等のＩＩＲを使用することがさらに好ましい。樹脂加硫ＩＩＲがとりわけ好ましい。また、このような封口体材料に代えて、気密性があり強度も十分に高い樹脂材料板（例えば、ＰＴＦＥ板などのようなフッ素樹脂板）と弾性ゴムを貼り合わせたハイブリッド材料も有利に使用することができる。
【００３２】
封口体のリード線貫通孔には２本のリード線を挿入し、電解液の漏れがないように完全に密封する。リード線は、それぞれ、その先端部に本考案による面取り端面を有している。
【００３３】
図４は、図３に示した本考案のアルミニウム電解コンデンサに組み込まれたリード線の端面の好ましい１形態とその製造方法を模式的に示したものである。図示の例は、リード線２（説明の簡略化のため、同じ長さのリード線が短く示されている；図５〜図９も同様である）の先端部を１方向からＲ加工したものであり、したがって、その面取り端面２ａは、観察する方向によって、図４（Ａ）及び図４（Ｂ）に示すように見ることができる。図示のリード線２の面取り端面２ａは、図４（Ｃ）に示すように、長手方向に延在した２本の切削溝（半円形の断面）２２を備えた上刃２１を、切削溝２２に対応する位置に突起（半円形断面）２４を備えた下刃２３の上のリード線２に図中矢印で示すように打ち下ろすことによって、容易に形成することができる。なお、図示しないが、上刃２１の下面にはリード線案内部材も備わっている。
【００３４】
図５は、図３に示した本考案のアルミニウム電解コンデンサに組み込み可能なリード線の端面の好ましい１形態を模式的に示したものである。図示の例は、リード線２の先端部を２方向からＲ加工したものであり、したがって、その面取り端面２ａは、観察する方向によって、図５（Ａ）及び図５（Ｂ）に示すように見ることができる。
【００３５】
図６は、図３に示した本考案のアルミニウム電解コンデンサに組み込み可能なリード線の端面のもう１つの好ましい形態を模式的に示したものである。図示の例は、リード線２の先端部を先端全体からＲ加工したものであり、したがって、その面取り端面２ａは、観察する方向によって、図６（Ａ）及び図６（Ｂ）に示すように見ることができる。
【００３６】
また、図７は、図３に示した本考案のアルミニウム電解コンデンサに組み込み可能なリード線の端面のもう１つの好ましい形態を模式的に示したものである。図示の例は、リード線２の先端部を１方向から面取り（Ｃ面取り加工）したものであり、したがって、その面取り端面２ａは、観察する方向によって、図７（Ａ）及び図７（Ｂ）に示すように見ることができる。
【００３７】
さらに、図８は、図３に示した本考案のアルミニウム電解コンデンサに組み込み可能なリード線の端面のさらにもう１つの好ましい形態を模式的に示したものである。図示の例は、リード線２の先端部を２方向から面取り（Ｃ面取り加工）したものであり、したがって、その面取り端面２ａは、観察する方向によって、図８（Ａ）及び図８（Ｂ）に示すように見ることができる。
【００３８】
さらにまた、図９は、図３に示した本考案のアルミニウム電解コンデンサに組み込み可能なリード線の端面のさらにもう１つの好ましい形態を模式的に示したものである。図示の例は、リード線２の先端部を先端全体から面取り（Ｃ面取り加工）したものであり、したがって、その面取り端面２ａは、観察する方向によって、図９（Ａ）及び図９（Ｂ）に示すように見ることができる。
【００３９】
【考案の効果】
以上に詳細に説明したように、本考案によれば、リード線の先端部に面取り端面が備わっているので、電解コンデンサやその他の電子部品の製造工程で、あるいは電子部品を完成した後、保管、検査等の取り扱いの段階で、部品本体の擦り傷、打痕傷などを生じることのない、改良されたリード線付き電子部品を提供するができる。
【００４０】
また、本考案によれば、従来の製造ラインを大幅に変更することなく、上記のような改良を容易に実現できるリード線付き電子部品を提供することができる。
【００４１】
さらに、本考案によれば、製造段階や、保管、検査等の取り扱いの段階で部品本体に擦り傷、打痕傷や剥れなどを生じることのないアルミニウム電解コンデンサや水晶振動子を提供することができる。
【図面の簡単な説明】
【図１】従来のリード線付き電解コンデンサの一例を、一部を切断して示した正面図である。
【図２】図１の電解コンデンサで使用されているリード線の先端部を拡大して示した断面図である。
【図３】本考案によるアルミニウム電解コンデンサの好ましい１実施形態を示した断面図である。
【図４】図３のアルミニウム電解コンデンサに組み込まれたリード線の端面の好ましい１形態とその製造方法を示した模式図である。
【図５】本考案の電子部品で使用し得るリード線の端面のもう１つの好ましい形態を示した側面図である。
【図６】本考案の電子部品で使用し得るリード線の端面のもう１つの好ましい形態を示した側面図である。
【図７】本考案の電子部品で使用し得るリード線の端面のもう１つの好ましい形態を示した側面図である。
【図８】本考案の電子部品で使用し得るリード線の端面のもう１つの好ましい形態を示した側面図である。
【図９】本考案の電子部品で使用し得るリード線の端面のもう１つの好ましい形態を示した側面図である。
【符号の説明】
１…コンデンサ素子
２…リード線（陽極端子及び陰極端子）
２ａ…面取り端面
３…封口体
４…ケース
１０…アルミニウム電解コンデンサ
１４…カール
【図１】
0003099765.tif 000003
【図２】
0003099765.tif 000004
【図３】
0003099765.tif 000005
【図４】
0003099765.tif 000006
【図５】
0003099765.tif 000007
【図６】
0003099765.tif 000008
【図７】
0003099765.tif 000009
【図８】
0003099765.tif 000010
【図９】
0003099765.tif 000011